(57)【要約】【課題】本発明は、シリンダに設けた電熱ヒータを二重冗長系とし、一方の常用ヒータが断線した場合、他方のスタンバイヒータに切り替え、押出機の押出動作を継続することを目的とする。【解決手段】本発明による押出機加熱方法及び装置は、シリンダ(1)に設ける電熱ヒータ(4)を二重冗長系としての常用ヒータ(5)とスタンバイヒータ(6)で構成し、常用ヒータ(5)が断線した場合、切り替え回路(7)によってスタンバイヒータ(6)に切り替えることにより継続して押出機(2)の押出動作を継続することができる方法と構成である。【選択図】図１
2010221474.tif 000002
【特許請求の範囲】
【請求項１】
押出機(2)のシリンダ(1)を鋳込みヒータからなる電熱ヒータ(4)により加熱する押出機加熱方法において、
前記電熱ヒータ(4)は、常用ヒータ(5)とスタンバイヒータ(6)の二重冗長系よりなり、前記常用ヒータ(5)が断線検出器(12)によって断線したと判定された場合、プロセスコントローラ(13)からの切り替え信号(11)によって前記常用ヒータ(5)から前記スタンバイヒータ(6)に切り替えられることを特徴とする押出機加熱方法。
【請求項２】
押出機(2)のシリンダ(1)を鋳込みヒータからなる電熱ヒータ(4)により加熱する押出機加熱装置において、
前記電熱ヒータ(4)は、常用ヒータ(5)とスタンバイヒータ(6)の二重冗長系よりなり、前記常用ヒータ(5)が断線検出器(12)によって断線したと判定された場合、プロセスコントローラ(13)からの切り替え信号(11)によって前記常用ヒータ(5)から前記スタンバイヒータ(6)に切り替えられる構成としたことを特徴とする押出機加熱装置。
【発明の詳細な説明】
【技術分野】
【０００１】
本発明は、押出機加熱方法及び装置に関し、特に、シリンダに設けた電熱ヒータを二重冗長系とし、一方の常用ヒータが断線した場合、他方のスタンバイヒータに切り替え、押出機の押出動作を継続できるようにするための新規な改良に関する。
【背景技術】
【０００２】
従来、用いられていたこの種の押出機加熱方法及び装置としては、一般に、押出機のシリンダは複数のシリンダブロックで構成され、各シリンダブロックの壁には鋳込み型の常用ヒータが設けられていると共に、この常用ヒータは、一重系で構成されていた。
【０００３】
また、他の従来構成としては、例えば、後述の特許文献１の高ワット密度型で真鍮又はステンレスを用いた鋳込みヒータを挙げることができるが、鋳込みヒータとしてのワット数を上昇させるために一対の鋳込みヒータを内蔵させた構成である。
【先行技術文献】
【特許文献】
【０００４】
【特許文献１】実用新案登録第３０８８１０１号公報
【発明の概要】
【発明が解決しようとする課題】
【０００５】
従来の押出機加熱方法及び装置は、以上のように構成されていたため、次のような課題が存在していた。
すなわち、前述の各シリンダブロックに常用ヒータのみが設けられている場合、１ケ所のシリンダブロックの常用ヒータが断線した場合でも、その断線ヒータ部位の交換は、押出機が運転中では安全上の観点から不可能で、この交換には押出機をはじめとして、その関係機器を全て停止させる必要があった。
さらに、実際の交換においては、押出機の安全が確認されてから初めて交換となり、多大の時間と労力とを必要としていた。
また、ヒータ断線が発生した場合、必要な熱エネルギーを押出機に与えることが出来なくなると共に、生産される樹脂の品質に悪影響を及ぼすため、運転を止めてヒータの交換又はシリンダブロックの交換を行うことは樹脂生産上極めて不利なことであった。
【０００６】
また、前述の特許文献１に開示された高ワット密度型で真鍮又はステンレスを用いて鋳込んだ鋳込みヒータは、一対の鋳込みヒータによって、より高い温度とするための要望に応えようとするもので、断線した場合には、冗長系ではないため、前述の従来例と同様の押出機を停止させる等の課題が存在していた。
【課題を解決するための手段】
【０００７】
本発明による押出機加熱方法は、押出機のシリンダを鋳込みヒータからなる電熱ヒータにより加熱する押出機加熱方法において、前記電熱ヒータは、常用ヒータとスタンバイヒータの二重冗長系よりなり、前記常用ヒータが断線検出器によって断線したと判定された場合、プロセスコントローラからの切り替え信号によって前記常用ヒータから前記スタンバイヒータに切り替えられる方法であり、また、本発明による押出機加熱装置は、押出機のシリンダを鋳込みヒータからなる電熱ヒータにより加熱する押出機加熱装置において、前記電熱ヒータは、常用ヒータとスタンバイヒータの二重冗長系よりなり、前記常用ヒータが断線検出器によって断線したと判定された場合、プロセスコントローラからの切り替え信号によって前記常用ヒータから前記スタンバイヒータに切り替えられる構成である。
【発明の効果】
【０００８】
本発明による押出機加熱方法及び装置は、以上のように構成されているため、次のような効果を得ることができる。
すなわち、押出機のシリンダを鋳込みヒータからなる電熱ヒータにより加熱する押出機加熱方法及び装置において、前記電熱ヒータは、常用ヒータとスタンバイヒータの二重冗長系よりなり、前記常用ヒータが断線検出器によって断線したと判定された場合、プロセスコントローラからの切り替え信号によって前記常用ヒータから前記スタンバイヒータに切り替えられることにより、押出機の操業中に常用ヒータが断線した場合でも、断線検出器によって直ちにスタンバイヒータに切り替えができ、押出機のシリンダの温度はこれまでと同じ温度に保たれて樹脂品質を保つことができる。
【図面の簡単な説明】
【０００９】
【図１】本発明による押出機加熱方法及び装置を示す構成図である。
【発明を実施するための形態】
【００１０】
本発明は、シリンダの壁に設ける鋳込みヒータからなる電熱ヒータを二重冗長系とし、一方の常用ヒータが断線した場合、他方のスタンバイヒータに切り替え、押出機の押出動作を継続できるようにした押出機加熱方法及び装置を提供することを目的とする。
【実施例】
【００１１】
以下、図面と共に本発明による押出機加熱方法及び装置の好適な実施の形態について説明する。
図１において符号１で示されるものは押出機２のシリンダ１であり、このシリンダ１の内孔１ａ内には、図示しない一対のスクリュが噛み合い又は非噛み合い状態で回転自在に内設されている。
【００１２】
前記シリンダ１は、図示しない複数のシリンダブロックが直列接続されることによって長尺状に形成され、このシリンダ１の壁内には、前記内孔１ａ内を搬送される溶融樹脂を加熱するための温度センサ３が内設されている。
【００１３】
前記シリンダ１には、耐久性のため、アルミニウム又は真鍮等の熱伝導性の高い金属を鋳込んで形成した周知の鋳込みヒータからなる電熱ヒータが設けられている。
前記電熱ヒータ４は、図示のように、複数の常用ヒータ５とスタンバイヒータ６で構成され、この常用ヒータ５とスタンバイヒータ６とにより二重冗長系の前記電熱ヒータ４を構成している。
従って、一重系の前記常用ヒータ５で前記シリンダ１を加熱中に、前記常用ヒータ５が断線した場合には、二重系の前記スタンバイヒータ６に切り替えることができる構成である。
【００１４】
前記常用ヒータ５は、切り替え回路７の第１切り替え部７ａに接続され、この第１切り替え部７ａは電力調整器８を経て押出機制御盤９の交流電源１０に接続されている。
前記電力調整器８の出力側８ａには、前記第１切り替え部７ａに対して並列状に第２切り替え部７ｂが接続されている。
【００１５】
前記第１、第２切り替え部７ａ、７ｂは、周知のように、外部からの切り替え信号１１によって、実線で示すように、第１切り替え部７ａがオン、第２切り替え部７ｂがオフとなり、次の切り替え信号１１により、第１、第２切り替え部７ａ、７ｂは点線で示すように、第１切り替え部７ａがオフ、第２切り替え部７ｂがオンとなるように構成されている。
【００１６】
前記電力調整器８の出力側８ａには、周知の電流検出型の断線検出器１２が設けられ、この断線検出器１２の検出出力１２ａは、プロセスコントローラ１３に取り込まれ、このプロセスコントローラ１３からの制御信号１３ａは前記電力調整器８を調整するためにこの電力調整器８に入力されている。
前記プロセスコントローラ１３からの前記切り替え信号１１は前記切り替え回路７に入力され、さらに、前記温度センサ３からの温度検出信号３ａは、前記プロセスコントローラ１３に入力され、前記電力調整器８の制御に用いられる。
さらに、前記プロセスコントローラ１３で処理した処理結果等は、表示部１４において表示されるように構成されている。
【００１７】
前述の構成において、押出機１の押出動作においては、まず、切り替え回路７の切り替えは、図１の実線で示されるように、第１切り替え部７ａがオン、第２切り替え部７ｂがオフとなっているため、常用ヒータ５のみがオンとなり、この状態で押出機２が運転される。
【００１８】
前述の状態で、常用ヒータ５が断線すると、電力調整器８の出力側に電流が流れなくなるため、断線検出器１２からの検出出力１２ａが断線と判定した内容であるため、プロセスコントローラ１３からの切り替え信号１１が切り替え回路７に入力され、各切り替え部７ａ、７ｂは実線から点線の状態に切り替えられ、スタンバイヒータ６のオンに切り替えられる。
従って、前記常用ヒータ５のみのオンによるシリンダ１の加熱時の二重冗長系を構成し、極めて長時間にわたる安定した押出機２の押出運転を継続することができる。
【産業上の利用可能性】
【００１９】
本発明による押出機加熱方法及び装置は、押出機のシリンダの加熱に限ることなく、例えば、一般の業務用機器に適用することができる。
【符号の説明】
【００２０】
１    シリンダ
１ａ    内孔
２    押出機
３    温度センサ
３ａ    温度検出信号
４    電熱ヒータ
５    常用ヒータ
６    スタンバイヒータ
７    切り替え回路
７ａ    第１切り替え部
７ｂ    第２切り替え部
８    電力調整器
８ａ    出力側
９    押出機制御盤
１０    交流電源
１１    切り替え信号
１２    断線検出器
１２ａ    検出出力
１３    プロセスコントローラ
１３ａ    制御信号
１４    表示部
【図１】
2010221474.tif 000003